(57)【要約】【課題】血管内の所望の処置対象に被塗布物質を確実に付着させる。【解決手段】生体管腔内治療デバイス１０は、直線状に延在する長尺なシャフト１２と、シャフト１２に支持され、シャフト１２の延在方向の周囲を回ることにより血管Ａの内周面に当接又は近接する１つの略円環形状を形成し、且つ被塗布物質を吐出可能な吐出口１８が先端面３６ａに設けられた塗布部１４と、塗布部１４を弾性変形させて収容して血管Ａ内を送達可能であり、且つ塗布部１４と相対的に進退自在なシース１６とを備える。【選択図】図１
2014014403.tif 000002
【特許請求の範囲】
【請求項１】
生体管腔内に挿入される長尺なシャフトと、
前記シャフトに支持され、同一平面上を周方向に沿って延在することにより前記生体管腔の内周面に当接又は近接する１つの略円環形状を形成し、且つ被塗布物質を吐出可能な吐出口が先端面に設けられた塗布部と、
前記塗布部を弾性変形させて収容して前記生体管腔内を送達可能であり、且つ前記塗布部と相対的に進退自在な外管とを備える
ことを特徴とする生体管腔内治療デバイス。
【請求項２】
請求項１記載の生体管腔内治療デバイスにおいて、
前記シャフトと前記塗布部は、前記吐出口に連通するとともに前記被塗布物質を流通可能な被塗布物質流通ルーメンを内部に有する管体として一体成形される
ことを特徴とする生体管腔内治療デバイス。
【請求項３】
請求項２記載の生体管腔内治療デバイスにおいて、
前記シャフトの基端部に接続され、前記被塗布物質流通ルーメンに前記被塗布物質を供給する被塗布物質供給源をさらに備える
ことを特徴とする生体管腔内治療デバイス。
【請求項４】
請求項１〜３のいずれか１項に記載の生体管腔内治療デバイスにおいて、
前記吐出口から吐出される前記被塗布物質が、高分子物質を溶解させた溶液、或いはその溶液中に生物学的生理活性物質を共存させた溶液である
ことを特徴とする生体管腔内治療デバイス。
【請求項５】
請求項１〜４のいずれか１項に記載の生体管腔内治療デバイスにおいて、
前記外管は、前記シャフト及び前記塗布部を収容可能な収容ルーメンと、
前記収容ルーメンに並行し、ガイドワイヤを挿通可能なガイドワイヤルーメンとを有する
ことを特徴とする生体管腔内治療デバイス。
【請求項６】
請求項１〜５のいずれか１項に記載の生体管腔内治療デバイスにおいて、
前記塗布部の先端面には、前記吐出口が複数設けられ、
複数の前記吐出口は、前記塗布部の周方向に沿って固定端側から自由端側に向かってその開口面積が大きくなる
ことを特徴とする生体管腔内治療デバイス。
【請求項７】
請求項１〜６のいずれか１項に記載の生体管腔内治療デバイスにおいて、
前記塗布部には、前記塗布部の湾曲度合を補強する補強部材が設けられている
ことを特徴とする生体管腔内治療デバイス。
【請求項８】
請求項１〜７のいずれか１項に記載の生体管腔内治療デバイスにおいて、
前記塗布部の表面には、潤滑性コート剤がコーティングされている
ことを特徴とする生体管腔内治療デバイス。
【発明の詳細な説明】
【技術分野】
【０００１】
本発明は、生体管腔の内面に被塗布物質を塗布する生体管腔内治療デバイスに関する。
【背景技術】
【０００２】
生体器官（例えば、血管、胆管、気管、食道、尿道、鼻腔、或いはその他の臓器等）に生じた病変部に対しては、生体管腔内を通して治療デバイスを送達し、所定の治療を施す手技が行われている。例えば、血管の病変部である狭窄部を処置する治療デバイスとしては、血管壁を内側から押し広げるステント（薬剤溶出型ステント：ＤＥＳを含む）や薬剤溶出型バルーンカテーテル（ＤＥＢ）、或いは他の補綴物等が用いられる。また、近年では、治療デバイスとして血管内を介して送達可能なアブレーションデバイスを用い、血管（例えば、腎動脈）の内部の神経を切断（アブレーション）する処置等を行うこともある。
【０００３】
ところで、上記の手技では、肥厚した血管壁（内膜）に治療デバイスが接触又は拡張することで内膜中の弾性板に亀裂が生じたり、断裂したりする、又は治療デバイスの接触にともない血管壁に炎症や損傷が生じることが確認されている。さらに、治療後に、血管内に血栓が発生して末梢血管を塞栓したり、処置箇所に再狭窄が生じたりする不都合も生じる。このため、近年では、特許文献１に開示されている組成物を処置した血管壁に塗布する等して、病変部の治療の改善が図られている。
【０００４】
特許文献１には、アルギネート−カテコールと呼ばれるゲル状の接着剤が開示されている。この接着剤は、カテーテル側面に設けられた吐出口から血管壁に吐出される。吐出された接着剤は、カテコール基が血管壁と反応し、且つ炎症部位に高濃度に存在するＣａ２＋によりアルギネートが架橋されるため、短時間にゲル化することとなり、処置後の血管壁を良好にコーティングすることができる。
【０００５】
また、局所薬剤投与用の治療デバイスとしては、特許文献２に、管体の先端部にコイルを有し、該コイルの側面（外側面又は内側面等）に吐出口が設けられたものが開示されている。すなわち、この治療デバイスは、血管内の血管壁に対し、コイルの側面の吐出口から薬液を吐出して血管壁に局所的に薬液を吸収させる構成となっている。
【先行技術文献】
【特許文献】
【０００６】
【特許文献１】米国特許出願公開第２０１１／００７７２１６号明細書
【特許文献２】欧州特許第０７５４０７２号明細書
【発明の概要】
【発明が解決しようとする課題】
【０００７】
さて、特許文献１に開示されている治療デバイスは、長細く形成されたカテーテルの側面から接着性物質を含む溶液を吐出する構成となっており、血管内を流れる血液の影響を大きく受ける。特に、血管内では、血管壁付近の血液よりも中心部付近の血液の方が速く流れるため、血管の軸心上に位置するカテーテルの側面から接着性物質を含む溶液を吐出すると、血流によって接着性物質を含む溶液が流されやすく、充分な量の接着性物質を処置対象に的確に付着させることが困難となる。また、接着性物質は、カテーテルの所定位置に形成された吐出口からのみ吐出されるため、血管壁に対し不均一に付着されやすい。
【０００８】
一方、特許文献２に開示されている治療デバイスは、コイルが血管壁に接触した状態で、コイルの吐出口から薬液を吐出するため、血流の影響は低減される。しかしながら、この構成では、吐出口が血管壁に閉塞され易くなり、薬液が血管壁に充分に吐出されないおそれがある。
【０００９】
本発明は、上記の課題を解決するためになされたものであって、生体管腔内の所望の処置対象に被塗布物質を確実に付着させることができ、これにより生体管腔を良好に治療することが可能な生体管腔内治療デバイスを提供することを目的とする。
【課題を解決するための手段】
【００１０】
前記の目的を達成するために、本発明に係る生体管腔内治療デバイスは、生体管腔内に挿入される長尺なシャフトと、前記シャフトに支持され、同一平面上を周方向に沿って延在することにより前記生体管腔の内周面に当接又は近接する１つの略円環形状を形成し、且つ被塗布物質を吐出可能な吐出口が先端面に設けられた塗布部と、前記塗布部を弾性変形させて収容して前記生体管腔内を送達可能であり、且つ前記塗布部と相対的に進退自在な外管とを備えることを特徴とする。
【００１１】
上記によれば、塗布部が生体管腔の内周面に当接又は近接する１つの略円環形状に形成され、その先端面に吐出口が設けられていることで、生体管腔内において外管から露出された塗布部は、生体管腔の内周面に閉塞されることなくその近傍位置に吐出口を配置させることができる。このため、吐出口から被塗布物質を吐出すると、生体管腔内を流れる流体の影響をほとんど受けることなく、生体管腔の内周面に被塗布物質を確実に塗布することができる。さらに、１つの略円環形状からなる塗布部であれば、管腔壁に一旦吐出された被塗布物質に対し、塗布部の外表面が接触しないように処置することもでき、被塗布物質の剥離を防ぐことができる。
【００１２】
この場合、前記シャフトと前記塗布部は、前記吐出口に連通するとともに前記被塗布物質を流通可能な被塗布物質流通ルーメンを内部に有する管体として一体成形されることが好ましい。
【００１３】
このように、シャフトと塗布部が一体成形されることで、弾性変形する塗布部をシャフトにより安定的に支持することができ、しかも製造コストを低減することができる。
【００１４】
また、前記シャフトの基端部に接続され、前記被塗布物質流通ルーメンに前記被塗布物質を供給する被塗布物質供給源をさらに備えるとよい。
【００１５】
これにより、被塗布物質供給源から、被塗布物質流通ルーメンを介して吐出口に被塗布物質をスムーズに導くことができ、所望の供給量からなる被塗布物質を吐出することができる。
【００１６】
さらに、前記吐出口から吐出される前記被塗布物質としては、低分子の薬剤を溶解させたような低粘度の溶液よりも、むしろ、多糖類、ベタイン系高分子、ポリエチレングリコール等の変性物である接着性を発現する高分子物質を溶解させた溶液、さらにはその溶液中に生物学的生理活性物質を共存させたような、より粘度の高い溶液を好適に使用することができる。
【００１７】
ここで、前記外管は、前記シャフト及び前記塗布部を収容可能な収容ルーメンと、前記収容ルーメンに並行し、ガイドワイヤを挿通可能なガイドワイヤルーメンとを有する構成とすることができる。
【００１８】
このように、収容ルーメンと別にガイドワイヤを挿通可能なガイドワイヤルーメンを有することで、収容した塗布部の邪魔をすることなく、ガイドワイヤに沿って生体管腔の処置対象に外管を容易に送達することができる。
【００１９】
また、前記塗布部の先端面には、前記吐出口が複数設けられ、複数の前記吐出口は、前記塗布部の周方向に沿って固定端側から自由端側に向かってその開口面積が大きくなる構成としてもよい。
【００２０】
このように、塗布部の固定端側から自由端側に向かって吐出口の開口面積が大きくなっていることで、被塗布物質の流通量等に応じて固定端側から供給される吐出口から被塗布物質を順次吐出することができ、被塗布物質を均一的に塗布することができる。
【００２１】
さらに、前記塗布部には、前記塗布部の湾曲度合を補強する補強部材が設けられているとよい。
【００２２】
このように、補強部材が設けられることで、例えば、塗布部の適合性や抗キンク性を向上することができる。
【００２３】
またさらに、前記塗布部の表面には、潤滑性コート剤がコーティングされているとよい。
【００２４】
このように、塗布部の表面に潤滑性コート剤がコーティングされていることで、生体管腔の内周面に塗布部を当接させた状態で、生体管腔の軸方向に沿って塗布部を円滑に摺動させることができる。
【発明の効果】
【００２５】
本発明によれば、生体管腔内の所望の処置対象に被塗布物質を確実に付着させることができ、これにより生体管腔を良好に治療することができる。
【図面の簡単な説明】
【００２６】
【図１】本実施の形態に係る治療デバイスの全体構成を示す斜視図である。
【図２】図２Ａは、図１の塗布部の展開状態を示す部分正面図であり、図２Ｂは、図１の塗布部の展開状態を示す部分側面図であり、図２Ｃは、図１の塗布部の収容状態を示す部分側面図であり、図２Ｄは、細い血管内での塗布部の展開状態を示す部分側面図である。
【図３】図３Ａは、第１構成例に係る治療デバイスを示す要部正面図であり、図３Ｂは、第２構成例に係る治療デバイスを示す要部正面図であり、図３Ｃは、第３構成例に係る治療デバイスを示す要部正面図であり、図３Ｄは、第４構成例に係る治療デバイスを示す要部正面図である。
【図４】図４Ａは、第５構成例に係る治療デバイスを示す要部側面図であり、図４Ｂは、第６構成例に係る治療デバイスを示す要部側面図であり、図４Ｃは、第７構成例に係る治療デバイスを示す要部側面図である。
【図５】図５Ａは、図１の治療デバイスを用いた動作手順を示す第１説明図であり、図５Ｂは、図５Ａに続く治療デバイスの動作手順を示す第２説明図であり、図５Ｃは、図５Ｂに続く治療デバイスの動作手順を示す第３説明図である。
【図６】図６Ａは、図１の治療デバイスを用いた他の動作手順を示す第１説明図であり、図６Ｂは、図６Ａに続く治療デバイスの他の動作手順を示す第２説明図であり、図６Ｃは、図６Ｂに続く治療デバイスの他の動作手順を示す第３説明図である。
【発明を実施するための形態】
【００２７】
以下、本発明に係る生体管腔内治療デバイスについて好適な実施の形態を挙げ、添付の図面を参照して詳細に説明する。
【００２８】
図１は、本実施の形態に係る治療デバイスの全体構成を示す斜視図である。この生体管腔内治療デバイス１０（以下、単に治療デバイス１０ともいう）は、皮膚に開けた小さい孔からカテーテルを血管に挿入し治療を行う治療法（インターベンション）により、血管内の病変部を治療するためのデバイスである。特に、本治療デバイス１０は、バルーンカテーテル、ステント及びアテレクトミーデバイスによる病変部（狭窄部や血管壁が弱くなった部分）の治療、或いはアブレーションデバイスによる血管の処置等にも併用され、病変部や処置後の血管壁に被塗布物質を塗布するために用いられる。
【００２９】
例えば、バルーン血管形成術では、バルーンカテーテルにより狭窄部を押し広げる手技を行った後に、治療デバイス１０を送達して治療部位に被塗布物質を塗布する。また、ステント留置術では、ステントを狭窄部に留置する手技を行った後に、治療デバイス１０を送達してステントの留置部位周辺に被塗布物質を塗布する。さらに、アテレクトミーでは、アテレクトミーデバイスにより血管壁に堆積したアテローム（粥種）や石灰化病変の除去を行った後に、治療デバイス１０を送達して治療部位に被塗布物質を塗布する。或いは、交感神経アブレーション治療では、血管壁の内部を通る交感神経を切断する処置を行った後に、治療デバイス１０を送達して処置箇所の血管壁に被塗布物質を塗布する。
【００３０】
以下の説明では、血管Ａ内の血管壁Ｂに生じたアテローム（処置対象Ｘ）の除去後に被塗布物質を塗布する治療デバイス１０について代表的に説明していく（図５Ａ〜図５Ｃ参照）。なお、この治療デバイス１０は、上記の手技に限定されず様々な手技に用いることが可能であり、また種々の生体管腔（例えば、胆管、気管、食道、尿道、鼻腔、その他の臓器等）内の治療に応用できることは勿論である。
【００３１】
本実施の形態に係る治療デバイス１０は、シャフト１２と、シャフト１２の先端に設けられた塗布部１４と、塗布部１４を収容した状態で血管Ａ内に挿入可能なシース１６（外管）とを有する。また、塗布部１４の先端面には、血管Ａ内の血管壁Ｂに被塗布物質を吐出可能な吐出口１８が複数設けられている。
【００３２】
シャフト１２は、シース１６に収容可能な外径を有する管体であり、塗布部１４が処置対象Ｘに到達される充分な長さで直線状に延在している。このシャフト１２の先端には、塗布部１４が連設（一体成形）されており、シャフト１２と塗布部１４は、血管Ａに対して一体的に進退自在となっている。
【００３３】
一方、シャフト１２の基端部には、術者が把持し易いようにシャフト１２よりも大径なハブ２０が設けられている。ハブ２０は、シャフト１２が連結される先端側の可動部２２と、可動部２２を収容可能に囲う基端側の固定部２４とを有し、固定部２４に対し可動部２２が進退移動することによりシャフト１２全体を進退移動させる構成となっている。この可動部２２の進退移動は、術者の他にアクチュエータ２６により実施される。アクチュエータ２６としては、例えば、本出願人が先に出願した特開２０１１−１５２２７４号公報に開示されている外部駆動装置等を好適に適用することができる。
【００３４】
また、固定部２４の側周面には、空洞状の供給路２８ａを有する供給ポート２８が連設されており、この供給路２８ａは、ハブ２０の内部を延在する被塗布物質流通ルーメン３０（以下、単に流通ルーメン３０という）に連通されている。供給ポート２８は、処置対象Ｘに塗布される被塗布物質を供給可能なリザーバ３２（被塗布物質供給源）に接続される。
【００３５】
リザーバ３２は、充分な量の被塗布物質を貯留可能な貯留槽を有する。また、リザーバ３２は、図示しない操作部を術者等が操作することにより、被塗布物質の供給量を制御して出力するシリンジとしての機能も有している。従って、被塗布物質は、所望のタイミングでリザーバ３２から供給ポート２８（供給路２８ａ）に供給され、ハブ２０内の流通ルーメン３０に導入される。
【００３６】
被塗布物質としては、例えば、血管壁Ｂに対して強い接着力を発揮するアルギネート−カテコールが挙げられる。既述したように、アルギネート−カテコールは、血管Ａ内で短時間にゲル化し、処置後の血管壁Ｂを良好にコーティングする。このため、処置対象Ｘに生じた炎症等を保護しつつ、処置対象Ｘの再狭窄や血栓の発生を抑止することができる。勿論、塗布される物質は、アルギネート−カテコールに限定されるものではなく、例えば、ヘパリン、ヒアルロン酸等の多糖類、ベタイン系の高分子、或いはポリエチレングリコールのカテコール修飾物等が挙げられる。また、被塗布物質に加えて、生物学的生理活性物質を含む種々の薬剤を同時に適用し得る。例えば、狭窄部の治療においては、血管Ａ内の治療部位に付着させることで再狭窄を抑制する生物学的生理活性物質を適用するとよい。この場合、生物学的生理活性物質としては、抗癌剤、免疫抑制剤、抗生物質、抗リウマチ剤、抗血栓薬、抗高脂血症薬、ＡＣＥ阻害剤、カルシウム拮抗剤、インテグリン阻害薬、抗アレルギー剤、抗酸化剤、ＧＰＩＩｂＩＩＩａ拮抗薬、レチノイド、フラボノイド、カロチノイド、脂質改善薬、ＤＮＡ合成阻害剤、チロシンキナーゼ阻害剤、抗血小板薬、血管平滑筋増殖抑制薬、抗炎症剤、リポ蛋白関連ホスホリパーゼ阻害剤、生体由来材料、インターフェロン、ＮＯ産生促進物質等が挙げられる。
【００３７】
抗癌剤としては、例えば、硫酸ビンクリスチン、硫酸ビンブラスチン、硫酸ビンデシン、塩酸イリノテカン、パクリタキセル、ドセタキセル水和物、メトトレキサート、シクロフォスファミド等が好ましい。免疫抑制剤としては、例えば、シロリムス（ラパマイシン）、タクロリムス水和物、アザチオプリン、シクロスポリン、ミコフェノール酸モフェチル、塩酸グスペリムス、ミゾリビン等が好ましい。
【００３８】
抗生物質としては、例えば、マイトマイシンＣ、塩酸ドキソルビシン、アクチノマイシンＤ、塩酸ダウノルビシン、塩酸イダルビシン、塩酸ピラルビシン、塩酸アクラルビシン、塩酸エピルビシン、硫酸ペプロマイシン、ジノスタチンスチマラマー等が好ましい。抗リウマチ剤としては、例えば、金チオリンゴ酸ナトリウム、ペニシラミン、ロベンザリット二ナトリウム等が好ましい。抗血栓薬としては、例えば、へパリン、塩酸チクロピジン、ヒルジン等が好ましい。
【００３９】
抗高脂血症薬としては、ＨＭＧ−ＣｏＡ還元酵素阻害剤やプロブユールが好ましい。そして、ＨＭＧ−ＣｏＡ還元酵素阻害剤としては、例えば、セリバスタチンナトリウム、アトルバスタチン、ニスバスタチン、ピタバスタチン、フルバスタチンナトリウム、シンバスタチン、ロバスタチン、プラバスタチンナトリウム等が好ましい。
【００４０】
ＡＣＥ阻害剤としては、例えば、塩酸キナプリル、ペリンドプリルエルブミン、トランドラプリル、シラザプリル、塩酸テモカプリル、塩酸デラプリル、マレイン酸エナラプリル、リシノプリル、カプトプリル等が好ましい。カルシウム拮抗剤としては、例えば、ニフェジピン、ニルバジピン、塩酸ジルチアゼム、塩酸ベニジピン、ニソルジピン等が好ましい。抗アレルギー剤としては、より具体的には、例えば、トラニラストが好ましい。
【００４１】
レチノイドとしては、例えば、オールトランスレチノイン酸が好ましい。抗酸化剤としては、例えば、カテキン類、アントシアニン、プロアントシアニジン、リコピン、β−カロチン等が好ましい。カテキン類の中では、エピガロカテキンガレートが特に好ましい。チロシンキナーゼ阻害剤としては、例えば、ゲニステイン、チルフォスチン、アーブスタチン等が好ましい。抗炎症剤としては、例えば、デキサメタゾン、プレドニゾロン等のステロイドやアスピリンが好ましい。生体由来材料としては、例えば、ＥＧＦ（ｅｐｉｄｅｒｍａｌ  ｇｒｏｗｔｈ  ｆａｃｔｏｒ）、ＶＥＧＦ（ｖａｓｃｕｌａｒ  ｅｎｄｏｔｈｅｌｉａｌ  ｇｒｏｗｔｈ  ｆａｃｔｏｒ）、ＨＧＦ(ｈｅｐａｔｏｃｙｔｅ  ｇｒｏｗｔｈ  ｆａｃｔｏｒ)、ＰＤＧＦ（ｐｌａｔｅｌｅｔ  ｄｅｒｉｖｅｄ  ｇｒｏｗｔｈ  ｆａｃｔｏｒ）、ＢＦＧＦ（ｂａｓｉｃ  ｆｉｂｒｏｂｌａｓｔ  ｇｒｏｗｔｈ  ｆａｃｔｏｒ）等が好ましい。
【００４２】
生理活性物質は、上記例示した生物学的生理活性物質のうち、一種類のみを含んでもよく、又は二種類以上の異なる生物学的生理活性物質を含んでもよい。二種類以上の生物学的生理活性物質を含む場合、その組み合わせは上記例示した生物学的生理活性物質から必要に応じて適宜選択すればよい。
【００４３】
流通ルーメン３０は、上記の被塗布物質を流通可能な内径を有し、ハブ２０、シャフト１２及び塗布部１４の内部を基端側から先端側に向かって延設されている。この流通ルーメン３０は、先端側の塗布部１４において複数の吐出口１８に連通している。リザーバ３２から流通ルーメン３０に供給された被塗布物質は、塗布部１４に導かれて、吐出口１８から血管Ａ内に吐出される。なお、リング部３６内にのみ流通ルーメン３０を設けて、このリング部３６に図示しないチューブを接続して被塗布物質を供給する構成としてもよい。これにより、シャフト１２や湾曲部３４を中実状の棒材で構成することができ、製造が容易となる。
【００４４】
図２Ａは、図１の塗布部１４の展開状態を示す部分正面図であり、図２Ｂは、図１の塗布部１４の展開状態を示す部分側面図であり、図２Ｃは、図１の塗布部１４の収容状態を示す部分側面図であり、図２Ｄは、細い血管Ａ１内での塗布部１４の展開状態を示す部分側面図である。
【００４５】
塗布部１４は、シャフト１２の先端に連なり該シャフト１２の径方向外側に湾曲しつつ先端方向に延在する湾曲部３４と、この湾曲部３４の先端に連なりシャフト１２の軸線Ｏ（延長線を含む）を周回する略円環形状に形成された１つのリング部３６とを有する。湾曲部３４は、シース１６に収容されていない自然状態で、シャフト１２から緩やかに巻回して先端側に延出している。塗布部１４は、この湾曲部３４にリング部３６が連なることにより、正面視（図２Ａ参照）で、リング部３６の中心にシャフト１２の軸線Ｏが一致するように構成される。塗布部１４は、Ｘ線造影マーカーを備えることにより、血管Ａ内の処置対象Ｘに対する位置を確認することが可能である。
【００４６】
リング部３６は、固定端（基端）側が連結箇所３５で湾曲部３４に連なり、固定端に連なる胴体部が血管Ａの内周面に沿って１周回り、胴体部に連なる自由端（先端）側が連結箇所３５に近接している。このため、リング部３６は、正面視で、連結箇所３５付近（図２Ａ中下側）に若干の隙間３８を有する略円環形状（Ｃ字形状）に形成されている。また、リング部３６の自由端の最端部３６ｂは、閉じており、流通ルーメン３０に供給された被塗布物質が吐出しないように構成されている。
【００４７】
湾曲部３４及びリング部３６の形状は、構成材料によって記憶されており、シース１６に対しては、湾曲部３４及びリング部３６が直線状に弾性変形することにより収容され（図２Ｃ参照）、シース１６から露出されると弾性復元して自然状態である略円環形状に展開する（図２Ａ及び図２Ｂ参照）。
【００４８】
塗布部１４及び一体成形されるシャフト１２の構成材料としては、形状記憶性を有する金属を挙げることができる。このような材料としては、例えば、Ｎｉ−Ｔｉ系合金（ナイチノール）のような擬弾性合金（超弾性合金を含む）、形状記憶合金、ステンレス鋼（例えば、ＳＵＳ３０４、ＳＵＳ３０３、ＳＵＳ３１６、ＳＵＳ３１６Ｌ、ＳＵＳ３１６Ｊ１、ＳＵＳ３１６Ｊ１Ｌ、ＳＵＳ４０５、ＳＵＳ４３０、ＳＵＳ４３４、ＳＵＳ４４４、ＳＵＳ４２９、ＳＵＳ４３０Ｆ、ＳＵＳ３０２等、ＳＵＳの全品種）、コバルト系合金、金、白金のような貴金属、タングステン系合金、炭素系材料（ピアノ線を含む）等が挙げられる。勿論、塗布部１４が弾性復元できれば、その材料は特に限定されるものではなく、高分子材料等の樹脂を用いてもよい。高分子材料としては、例えば、ポリオレフィン（例えば、ポリエチレン、ポリプロピレン、ポリブテン、エチレン−プロピレン共重合体、エチレン−酢酸ビニル共重合体、アイオノマー、或いはこれら二種以上の混合物等）、ポリ塩化ビニル、ポリアミド、ポリアミドエラストマー、ポリエステル、ポリエステルエラストマー、ポリウレタン、ポリウレタンエラストマー、ポリイミド、フッ素樹脂等の高分子材料又はこれらの混合物、或いは上記二種以上の高分子材料を組み合わせたものが挙げられる。
【００４９】
また、体温で形状が変化（例えば、拡径）できるような形状記憶樹脂を用いてもよい。この場合、より管腔壁に損傷を与えることなく、該管腔壁に塗布部１４が接触した状態を維持することが可能となり、血管壁Ｂ等への傷害を一層確実に抑止できるようになることが期待される。
【００５０】
リング部３６（塗布部１４）は、比較的弱い弾性力、例えば、血管壁Ｂの弾性力よりも小さな弾性力を有して略円環形状に形成される。また、リング部３６の展開状態の外径は、例えば、処置対象Ｘが存在する血管Ａの内径に一致する、又は血管Ａの内径よりも若干大径となるように設定されていることが望ましい。これにより、リング部３６の外周面を血管壁Ｂに適度な当接力で接触させることができ、血管壁Ｂを不要に押圧して傷付けることを回避することができる。
【００５１】
リング部３６の略円環形状は、側面視（図２Ｂ参照）で、シャフト１２の軸線Ｏに直交する１つの平面上に構成される。このため、リング部３６が血管Ａの軸方向に直交するように展開されると、平坦状の先端面３６ａも血管Ａの軸方向に直交する。これにより、血管Ａ内の展開状態では、リング部３６の先端面３６ａに形成された複数の吐出口１８を一体的に（同軸上で）正面方向に臨ませることができる。
【００５２】
なお、塗布部１４（リング部３６）は、以上の形状に限定されないことは勿論である。例えば、塗布部１４は、シャフト１２の先端に設けられず、シャフト１２の途中位置に設けられてもよい。また、塗布部１４は、湾曲部３４を備えず、シャフト１２とリング部３６が直接連結された形状に形成されてもよい。さらに、リング部３６の自由端が連結箇所３５に当接する構成（隙間３８がない円環形状）に形成されることで、リング部３６の周方向に沿って吐出口１８をより多く設けることができ、被塗布物質を一層満遍なく塗布することもできる。
【００５３】
吐出口１８は、所定の開口面積を有し流通ルーメン３０に連通する長孔からなり、リング部３６の周方向に沿って複数設けられる。複数の吐出口１８は、図２Ａに示すように、塗布部１４が血管Ａ内で展開しその外周面が血管壁Ｂに当接した状態で、血管壁Ｂの近傍位置に配置される。この際、吐出口１８は、血管Ａの軸方向（正面方向）を臨むので、血管壁Ｂに閉塞されることなく開口する。そのため、被塗布物質は、先端面３６ａから血管壁Ｂに沿って流出される。
【００５４】
図２Ｃに示すように、シース１６は、上述した塗布部１４を略直線状に弾性変形して収容する。このシース１６は、送達される血管Ａの内径よりも小径な外径を有する管体からなり、その内部には塗布部１４を収容可能な収容ルーメン４０が貫通形成されている。塗布部１４は、収容ルーメン４０の先端開口付近に収容される。シース１６を構成する材料は、塗布部１４を弾性変形して収容可能な剛性を有するとともに、蛇行する血管Ａに追従可能な柔軟性を有する材料によって構成されることが好ましい。このような材料としては、例えば、シャフト１２及び塗布部１４の説明で挙げた材料を適用することができる。
【００５５】
シース１６の基端部は、塗布部１４が処置対象Ｘに送達された状態で、生体外部に露出するようになっており、図１に示すように、この基端部には径方向外側に拡径した鍔部４２（操作部）が形成されている。シース１６は、鍔部４２が操作されることで、シャフト１２及び塗布部１４と相対的な進退移動がなされる。
【００５６】
また、シース１６の先端部には、軸方向に沿って所定長さ延在する膨出部４４が連設されており、この膨出部４４には収容ルーメン４０に並行するようにガイドワイヤルーメン４６が形成されている。ガイドワイヤルーメン４６には、血管Ａ内に先行して挿入されるガイドワイヤ４８が挿通される。すなわち、本実施の形態に係るシース１６は、ラピッドエクチェンジタイプのカテーテルとして構成されている。なお、ガイドワイヤルーメン４６を有するシース１６は、上記のラピッドエクチェンジタイプに限定されるものではなく、ガイドワイヤルーメン４６がハブ２０まで延在したオーバーザワイヤタイプに構成されてもよい。オーバーザワイヤタイプの場合、ガイドワイヤルーメン４６は、例えば収容ルーメン４０と並行に設けられてもよく、収容ルーメン４０自体をガイドワイヤルーメン４６として用いてもよい。
【００５７】
リング部３６は、収容ルーメン４０を構成するシース１６の内壁１６ａにより拡張が規制される。シース１６の後退移動時には、シース１６の先端開口４０ａにリング部３６の胴体部がガイドされつつ除々に露出され、円弧状を描くように展開していく。なお、リング部３６の自由端は、湾曲状（Ｒ状）に形成されており、露出時に自由端が血管壁Ｂに接触しても、血管壁Ｂを傷付けないように構成されている。
【００５８】
また、治療デバイス１０は、図２Ｄに示すように、塗布部１４が完全に拡張した状態の外径よりも小径の血管Ａ１（すなわち、リング部３６より曲率半径が小さい血管）を治療する場合でも、リング部３６の露出量を調整することにより、この血管Ａ１内に略円環形状を形成することができる。つまり、血管壁Ｂ１よりも弾性力が小さいリング部３６は、シース１６からの露出にともない、曲率半径が小さい血管Ａ１の内周面に沿って回り込んでいく。その結果、露出量が調整されたリング部３６は、血管Ａ１の内径に一致する外径を有する略円環形状にガイドされ、血管壁Ｂ１の近傍位置に吐出口１８を配置させる。
【００５９】
さらに、塗布部１４の表面には、潤滑性コート剤５０がコーティングされていることが好ましい。潤滑性コート剤５０は、血管壁Ｂに塗布部１４を当接させた状態で、塗布部１４を血管Ａの軸方向に円滑に移動させることができ、血管壁Ｂの炎症等を防ぐことができる。
【００６０】
また、治療デバイス１０の塗布部１４は、上述した構成に限定されるものではなく、種々の構成を取り得る。以下、治療デバイス１０の他の構成例をいくつか説明していく。なお、以下の説明において本実施の形態に係る治療デバイス１０と同一の構成又は同一の機能を有する構成については、同じ符号を付しその詳細な説明については省略する。
【００６１】
図３Ａに示す第１構成例に係る治療デバイス１０Ａ（塗布部１４ａ）は、被塗布物質を吐出する複数の吐出口１８ａの開口面積が、固定端側から自由端側に向かって段々と大きくなるように形成されている。すなわち、リング部３６内の流通ルーメン３０を流通する被塗布物質は、固定端側では多量に存在するが、先端側への流通中に吐出口１８ａから吐出されることで徐々に少量となる。このため、吐出口１８ａの開口面積が固定端側から自由端側に向かって大きくなることにより、被塗布物質の吐出量を流通量に応じて適宜調整することができ、血管壁Ｂに対し被塗布物質をより均一的に塗布することができる。
【００６２】
図３Ｂに示す第２構成例に係る治療デバイス１０Ｂ（塗布部１４ｂ）は、被塗布物質を吐出する吐出口１８ｂが小径の丸孔に形成されており、この吐出口１８ｂが塗布部１４ｂの周方向に沿って複数設けられている。また、図３Ｃに示す第３構成例に係る治療デバイス１０Ｃ（塗布部１４ｃ）は、被塗布物質を吐出する吐出口１８ｃが塗布部１４ｃの周方向に沿って略一周する溝状に形成されている。さらに、図３Ｄに示す第４構成例に係る治療デバイス１０Ｄ（塗布部１４ｄ）は、被塗布物質を吐出する吐出口１８ｄが長孔と丸孔に形成され、この長孔と丸孔が塗布部１４ｄの周方向に沿って交互に形成されている。このように、第２〜第４構成例に示す吐出口１８ｂ〜１８ｄでも血管壁Ｂに被塗布物質を良好に塗布することができる。
【００６３】
要するに、被塗布物質を吐出する吐出口１８は、形状や形成数について特に限定されるものではなく、例えば、塗布する被塗布物質の吐出量や粘度等に応じて適宜設計してよい。また、吐出口１８は、リング部３６の先端面３６ａから径方向外側に多少ずれた角度に形成されると、血管壁Ｂに対し被塗布物質をより付着させやすくなる。
【００６４】
図４Ａに示す第５構成例に係る治療デバイス１０Ｅは、リング部３７ａ（塗布部１４ｅ）が軸方向先端側（先端吐出部５２）と軸方向基端側（基端支持部５４）とで異なる材料によって構成され、両者が接着剤５６により接合された構成となっている。また、吐出口１８は、半円管状の先端吐出部５２の先端面５２ａ（頂部）に設けられ、湾曲部３４は、基端支持部５４の一端に連設されている。
【００６５】
例えば、先端吐出部５２は、高い可撓性を有する材料によって構成され、基端支持部５４は、上述した形状記憶性を有する材料によって構成される。この場合、可撓性を有する材料としては、例えば、織物、編物、不織布、紙材のような繊維性多孔質膜、その他、非繊維性多孔質膜、高分子シートのような緻密膜等を挙げることができる。このように、先端吐出部５２と基端支持部５４を別材料で構成することにより、リング部３７ａを適切な弾性力となるように簡単に調整することができる。
【００６６】
また、先端吐出部５２は、リング部３７ａの流通ルーメン３０に被塗布物質が流入されていない状態で、内側に撓むことによりリング部３７ａ内の流通ルーメン３０を閉塞していてもよい。このように構成することで、被塗布物質を吐出口１８から漏出することを防ぐことができる。
【００６７】
図４Ｂに示す第６構成例に係る治療デバイス１０Ｆ（塗布部１４ｆ）は、第５構成例に係る治療デバイス１０Ｅの基端支持部５４に補強部材５８が設けられている。例えば、補強部材５８は、基端支持部５４の周囲を覆うワイヤブレードによって構成される。この補強部材５８は、リング部３７ｂを構成する基端支持部５４の適合性（例えば、血管Ａの屈曲部位で展開する能力）や抗キンク性を向上させる機能を有する。また、補強部材５８は、基端支持部５４に連なる湾曲部３４にも延設されることにより、塗布部１４ｆ全体の支持を一層良好に行うことができる。なお、補強部材５８（ワイヤブレード）は、シャフト１２及び塗布部１４ｆが一体成形された本実施の形態に係る治療デバイス１０に設けられてもよいことは勿論である。
【００６８】
図４Ｃに示す第７構成例に係る治療デバイス１０Ｇ（塗布部１４ｇ）は、リング部３７ｃの基端支持部５４に被塗布物質を吐出可能なメッシュ部６０を接合した構成となっている。このように、吐出口がメッシュ部６０であっても、被塗布物質を良好に吐出することができる。
【００６９】
本実施の形態に係る治療デバイス１０は、基本的には以上のように構成されるものであり、以下、その作用及び効果について説明する。
【００７０】
治療デバイス１０は、アテレクトミーにおいて、血管Ａ内に堆積された病変部であるアテロームや石灰化した病変を除去した後に、治療部位（処置対象Ｘ）に被塗布物質を塗布するために用いられる。従って、この治療デバイス１０の使用前には、血管Ａ内等に発生したアテロームや石灰化した病変をアテレクトミーデバイス（図示せず）により除去する手技が行われる。術者は、この手技において、先ず、血管内造影法や血管内超音波診断法により病変部の形態を特定する。次に、例えばセルジンガー法によって、大腿部等から経皮的に血管Ａ内にガイドワイヤ４８を導入し、アテレクトミーデバイスをこのガイドワイヤ４８に沿って進行させる。そして、堆積されたアテロームをアテレクトミーデバイスにより除去（例えば、削り取る、粉砕する又は吸引する等）することで、処置対象Ｘの内面を血液が充分に流通可能な内径とする。所望の内径に形成した後は、アテレクトミーデバイスを血管Ａ内から引き抜き、アテレクトミーが終了する。
【００７１】
その後、本治療デバイス１０を血管Ａ内に挿入して、アテロームが除去された処置対象Ｘに治療デバイス１０の塗布部１４を送達する送達ステップを実施する。なお、治療デバイス１０は、生体への導入前に治療デバイス１０の内部を被塗布物質で満たすプライミングが行われる。プライミングでは、シース１６内に塗布部１４を収容した状態でリザーバ３２から被塗布物質を供給し、流通ルーメン３０から空気を抜いて被塗布物質を満たす作業が行われる。
【００７２】
送達ステップでは、血管Ａ内に先行して挿入されているガイドワイヤ４８をシース１６のガイドワイヤルーメン４６に挿入して、シャフト１２及び塗布部１４が収容されたシース１６を、アテレクトミーデバイスと同じ挿入箇所から挿入する。そして、図５Ａに示すように、ガイドワイヤ４８に沿って、シース１６を血管Ａ内の処置対象Ｘに案内していく。術者は、Ｘ線造影下に、治療デバイス１０の塗布部１４が処置対象Ｘを越えたことを判別すると、送達を停止する。
【００７３】
送達ステップの後は、図５Ｂに示すように、血管Ａ内に塗布部１４を展開させる展開ステップを実施する。この展開ステップでは、鍔部４２（図１参照）を後退操作することにより、塗布部１４と相対的にシース１６を後退移動させる。これにより、シース１６の先端開口４０ａから塗布部１４が露出する。この際、直線状に弾性変形されていたリング部３６は、その弾性復元力により略円環形状に変形し、リング部３６の外周面が血管壁Ｂに当接する。これにより、吐出口１８が血管壁Ｂの近傍位置に配置される。なお、吐出口１８が血管壁Ｂの近傍位置に配置されれば、リング部３６は血管壁Ｂに必ずしも当接しなくてもよい。
【００７４】
展開ステップの後は、図５Ｃに示すように、展開した塗布部１４の吐出口１８から被塗布物質を吐出して、処置対象Ｘに被塗布物質を塗布する塗布ステップを実施する。塗布ステップでは、リザーバ３２から供給ポート２８を介して流通ルーメン３０に被塗布物質を供給し、先端側の塗布部１４に被塗布物質を導く。塗布部１４に供給された被塗布物質は、吐出口１８から吐出される。
【００７５】
上述したように、塗布部１４の先端面３６ａに形成された吐出口１８は、処置対象Ｘの近傍位置に配置される。このため、吐出口１８から吐出された被塗布物質を処置対象Ｘ（血管壁Ｂ）に確実に付着させることができる。ここで、血管Ａ内では、血管Ａの軸心付近の血流よりも血管壁Ｂ付近の血流のほうが緩やかになっている。このため、血管Ａの軸心付近から被塗布物質を吐出するデバイスに比べて、本実施の形態に係る治療デバイス１０は、所定の位置に被塗布物質をより精度良く塗布することができる。
【００７６】
また、塗布部１４の周方向に沿って複数の吐出口１８が設けられているので、被塗布物質は、処置対象Ｘの内面全体に均一的に塗布される。従って、治療デバイス１０は、被塗布物質の塗布ムラや塗り損じ等を生じさせることがない。
【００７７】
さらに、塗布ステップ中には、被塗布物質を塗布しながら治療デバイス１０を移動させる移動ステップを行う。移動ステップでは、ハブ２０に取り付けられたアクチュエータ２６により、固定部２４に対し可動部２２を等速度で後退移動させる。従って、処置対象Ｘに重なる位置にある塗布部１４も等速度で後退移動し、この後退移動とともに吐出口１８から被塗布物質を吐出することで、処置対象Ｘの軸方向に沿って被塗布物質を均一的に塗布することができる。
【００７８】
なお、移動ステップでは、塗布部１４を後退移動させた後に、再び進出移動させて一層確実に被塗布物質を付着させてもよい。この場合、リング部３６が弱い当接力で被塗布物質に接触することにより、血管壁Ｂに付着された被塗布物質を処置対象Ｘに塗り付けるように広げることもできる。
【００７９】
被塗布物質の塗布が終了した後は、治療デバイス１０を血管Ａ内から後退移動させる後退移動ステップを実施する。この後退移動ステップでは、シース１６を進出移動させて、塗布部１４を収容ルーメン４０に再び収容する。従って、処置対象Ｘから塗布部１４をスムーズに後退移動させて、治療デバイス１０を生体内から抜去することができる。
【００８０】
ところで、血管Ａの病変部として、プラークが血管壁Ｂ（内膜）の中膜側に入り込む形で形成（ポジティブリモデリング）されることがある（図６Ａ等参照）。このようにプラークが中膜側に進行する形で形成されていった場合、血管壁Ｂは次第に薄くなり、わずかな物理的衝撃により血管壁Ｂが破れやすくなる“バルネラブルプラーク”の形成につながると言われている。この薄くなった血管壁Ｂが破れると、その周辺部に血小板が集まって急速に血栓を形成し、血管Ａを完全に閉塞することになり、急性心筋梗塞を引き起こす。このため、このバルネラブルプラークを治療する場合には、プラークの発生箇所である処置対象Ｘ１に対し、治療デバイス１０を接触させないようにして被塗布物質を塗布し、治療を施すことが望まれている。
【００８１】
本実施の形態に係る治療デバイス１０は、上記のような処置対象Ｘ１に対しても良好に被塗布物質を塗布することが可能となっている。すなわち、送達ステップでは、図６Ａに示すように、血管Ａの上流側から処置対象Ｘ１に治療デバイス１０を送達し、処置対象Ｘ１の上流側近傍位置に治療デバイス１０の塗布部１４を位置決めする。
【００８２】
次に、展開ステップでは、図６Ｂに示すように、シース１６を後退移動させて処置対象Ｘ１の上流側近傍位置で塗布部１４を展開する。そして、塗布ステップでは、図６Ｃに示すように、塗布部１４の流通ルーメン３０に被塗布物質を供給して吐出口１８から吐出させる。処置対象Ｘ１の上流側近傍位置に位置する吐出口１８から被塗布物質を吐出すると、被塗布物質は下流に流れる血液によって一定距離搬送される。被塗布物質がアルギネート−カテコールの場合は、血液による搬送が比較的近距離に留まり、ちょうど処置対象Ｘ１を覆うように被塗布物質が付着される。このように、治療デバイス１０を処置対象Ｘ１の上流側で展開して吐出口１８から被塗布物質を吐出すれば、プラークを傷付けないで該プラークの治療を良好に行うことができる。
【００８３】
以上のように、本実施の形態に係る治療デバイス１０によれば、塗布部１４（リング部３６）が血管Ａの内周面に当接又は近接する１つの略円環形状に形成され、リング部３６の先端面３６ａに吐出口１８が設けられていることで、血管Ａ内においてシース１６から露出された塗布部１４は、血管Ａの内周面に閉塞されることなくその近傍位置に吐出口１８を配置させることができる。このため、吐出口１８から被塗布物質を吐出すると、血管Ａ内を流れる血液の影響をほとんど受けることなく、血管Ａの内周面に被塗布物質を確実に塗布することができる。
【００８４】
ところで、先端部がコイルからなる治療デバイス（例えば、特許文献２参照）では、被塗布物質を血管壁Ｂに付着させても、軸方向に並ぶ他のコイルの外表面が被塗布物質に接触することで、被塗布物質を剥離するおそれがある。これに対し、本実施の形態に係る治療デバイス１０は、塗布部１４が１つの略円環形状に形成されているので、血管壁Ｂに一旦付着された被塗布物質に対し、塗布部１４の外表面が接触しないように容易に処置することができ、被塗布物質の剥離を防ぐこともできる。
【００８５】
また、特許文献２に係る治療デバイスは、被塗布物質として粘度の高いもの（糖類、ベタイン系高分子、ポリエチレングリコール等の変性物である接着性を発現する高分子物質を溶解させた溶液）を供給すると、該被塗布物質がコイル全長に行きわたりにくく、被塗布物質を注入している過程でコイル内で比較的容易に詰まってしまうことが想定される。これに対し、本実施の形態に係る治療デバイス１０は、シャフト１２及び湾曲部３４が略直線状に延在してリング部３６を支持しているので、粘度の高い被塗布物質でも吐出口１８まで詰まることなくスムーズに導くことが可能である。
【００８６】
また、シャフト１２と塗布部１４が一体成形されることで、弾性変形する塗布部１４をシャフト１２により安定的に支持することができ、しかも製造コストを低減することができる。さらに、収容ルーメン４０と別にガイドワイヤ４８を挿通可能なガイドワイヤルーメン４６を有することで、収容した塗布部１４の邪魔をすることなく、ガイドワイヤ４８に沿って血管Ａ内の処置対象Ｘにシース１６を容易に送達することができる。
【００８７】
上記において、本発明について好適な実施の形態を挙げて説明したが、本発明は前記実施の形態に限定されるものではなく、本発明の要旨を逸脱しない範囲において、種々の改変が可能なことは言うまでもない。
【符号の説明】
【００８８】
１０、１０Ａ〜１０Ｇ…生体管腔内治療デバイス（治療デバイス）
１２…シャフト                    １４、１４ａ〜１４ｇ…塗布部
１６…シース                      １８、１８ａ〜１８ｄ…吐出口
３０…被塗布物質流通ルーメン（流通ルーメン）
３２…リザーバ                    ３４…湾曲部
３６、３７ａ〜３７ｃ…リング部    ３６ａ、５２ａ…先端面
４０…収容ルーメン                ４６…ガイドワイヤルーメン
４８…ガイドワイヤ                ５８…補強部材
Ａ…血管                          Ｂ…血管壁
Ｘ、Ｘ１…処置対象
【図１】
2014014403.tif 000003
【図２】
2014014403.tif 000004
【図３】
2014014403.tif 000005
【図４】
2014014403.tif 000006
【図５】
2014014403.tif 000007
【図６】
2014014403.tif 000008